(57)【要約】  少なくとも１つのさらなるユーザ機器による受信のために、データをブロードキャストするための方法と、コンピュータ・プログラム製品と、ユーザ機器とが、提供される。本方法は、複数のプリアンブルからプリアンブルを選択するステップであって、前記複数のプリアンブルは、それぞれ送信リソースの対応するブロックを識別し、送信リソースの前記ブロックは、少なくとも１つの対応する通信チャネルを備える、選択するステップと、プリアンブル・チャネル上で前記選択されたプリアンブルのプリアンブル・シグネチャを送信するステップであって、前記プリアンブル・シグネチャの送信は、前記ユーザ機器が前記プリアンブル・シグネチャによって示される前記少なくとも１つの対応する通信チャネル上でデータを送信することを意図していることを前記少なくとも１つのさらなるユーザ機器に対して示し、前記チャネルのそれぞれは、一度に１方向にデータを送信するように構成された半二重チャネルを備える、送信するステップと、前記少なくとも１つの対応する通信チャネルを経由して受信される信号を監視するステップと、前記少なくとも１つの対応する通信チャネル上で、プリアンブル応答信号、または所定の時間中に信号がないことのうちの一方を検出することに応じて、前記少なくとも１つの対応する通信チャネル上で前記データを送信するステップとを含む。
2016535501.tif 000002
【特許請求の範囲】
【請求項１】
少なくとも１つのさらなるユーザ機器（１２）による受信のために、１つのユーザ機器（１０）からデータをブロードキャストする方法であって、
複数のプリアンブルからプリアンブルを選択するステップであって、前記複数のプリアンブルは、それぞれ送信リソースの対応するブロックを識別し、送信リソースの前記ブロックは、少なくとも１つの対応する通信チャネルを備える、選択するステップと、
プリアンブル・チャネル上で前記選択されたプリアンブルのプリアンブル・シグネチャを送信するステップであって、前記プリアンブル・シグネチャの送信は、前記ユーザ機器が前記プリアンブル・シグネチャによって示される前記少なくとも１つの対応する通信チャネル上でデータを送信することを意図していることを前記少なくとも１つのさらなるユーザ機器に対して示し、前記チャネルのそれぞれは、一度に１方向にデータを送信するように構成された半二重チャネルを備える、送信するステップと、
前記少なくとも１つの対応する通信チャネルを経由して受信される信号を監視するステップと、
前記少なくとも１つの対応する通信チャネル上で、プリアンブル応答信号または所定の時間中に信号がないことのうちの一方を検出することに応じて、前記少なくとも１つの対応する通信チャネル上で前記データを送信するステップと
を含む方法。
【請求項２】
前記チャネルのうちのそれぞれは、時間−周波数リソースを含む、請求項１に記載の方法。
【請求項３】
前記データを送信する前記ステップは、少なくとも１つの前記プリアンブル応答信号を検出することに応じて実行される、請求項１または２に記載の方法。
【請求項４】
前記データを送信する前記ステップは、所定の時間中に信号を検出しないことに応じて実行される、請求項１または２に記載の方法。
【請求項５】
前記所定の時間を複数の値のうちの１つに設定するステップをさらに含み、前記複数の値は、望ましいサービス品質に依存している、請求項４に記載の方法。
【請求項６】
前記通信チャネル上で信号を検出することに応じて、バックオフ時間にわたって、前記プリアンブル・チャネル上で前記プリアンブル・シグネチャを送信することを中止し、また前記バックオフ時間に続いて、再び前記プリアンブル・チャネル上で前記プリアンブル・シグネチャを送信し、また前記少なくとも１つの通信チャネル上で信号を監視する、請求項４または５に記載の方法。
【請求項７】
前記応答信号を検出することに応じて、次の所定の通信タイム・スロットにおいて前記データを送信する、請求項３に記載の方法。
【請求項８】
所定の検出時間内に、前記応答信号を検出しないことに応じて、バックオフ時間にわたって前記プリアンブル・シグネチャを送信せず、また前記バックオフ時間に続いて、前記プリアンブル・チャネル上で前記プリアンブル・シグネチャを再送信し、また前記少なくとも１つの通信チャネル上で信号を監視する、請求項３または７に記載の方法。
【請求項９】
前記データが前記少なくとも１つの通信チャネルを経由して送信される間に、前記プリアンブル・チャネルを経由して前記プリアンブル・シグネチャを送信し続けるステップと、前記対応する通信チャネルを解放するために、前記データの送信に続いて、前記プリアンブル・シグネチャを送信することを停止するステップとを含む、請求項１乃至８のいずれか１項に記載の方法。
【請求項１０】
前記プリアンブルを選択する前記ステップは、
前記複数のプリアンブルのうちの少なくともいくつかに関連して記憶される衝突確率と、
前記プリアンブルの使用可能性と、
実行されるべきアプリケーションと、
前記ユーザ機器の識別情報と
のうちの１つに基づいて、前記複数のプリアンブルのうちの１つを選択するステップを含む、請求項１乃至９のいずれか１項に記載の方法。
【請求項１１】
前記プリアンブル・チャネルの少なくとも１つを監視するステップと、前記複数のプリアンブルのうちの前記１つを選択することに先立って、現在使用されている前記プリアンブルを使用不可能であるとしてマーク付けするステップとを含み、前記選択するステップは、使用不可能として現在マーク付けされていない前記複数のプリアンブルから前記プリアンブルを選択するステップを含む、請求項１乃至１０のいずれか１項に記載の方法。
【請求項１２】
前記プリアンブル・チャネルの少なくとも１つを監視するステップと、
前記ユーザ機器が興味を持つ、データ通信を示すプリアンブル・シグネチャを検出することに応じて、前記少なくとも１つの対応する通信チャネルを監視するステップと
をさらに含む、請求項１乃至１１のいずれか１項に記載の方法。
【請求項１３】
前記対応する通信チャネルを監視することに先立って、前記少なくとも１つの対応する通信チャネルのうちの１つの上で前記プリアンブル・シグネチャに対する応答を送信することにより、前記ユーザ機器が興味を持つ前記プリアンブル・シグネチャに対して応答するステップをさらに含む、請求項１２に記載の方法。
【請求項１４】
コンピュータによって実行されるときに、請求項１乃至１３のいずれか１項に記載の方法のステップを実行するように前記コンピュータを制御するコンピュータ・プログラムを記憶するコンピュータ・プログラム製品。
【請求項１５】
少なくとも１つのさらなるユーザ機器（１２）とワイヤレスに通信するように構成されたユーザ機器（１０）であって、
複数のプリアンブルと、対応する送信リソース・ブロックとの詳細を記憶するためのプリアンブル・ストア（３０）と、
前記複数の記憶されたプリアンブルからプリアンブルを選択するためのプリアンブル選択ロジック（５０）であって、前記複数のプリアンブルは、それぞれ送信リソースの対応するブロックに関連し、送信リソースの前記ブロックは、少なくとも１つの対応する通信チャネルを備える、プリアンブル選択ロジック（５０）と、
複数のチャネルのうちの１つの上で信号を受信し、また信号を出力するためのポート（４２）であって、各チャネルについて信号が受信または送信可能であるように半二重ポートである、ポート（４２）と
を備え、
前記ユーザ機器は、
前記プリアンブル選択ロジック（５０）を使用して、前記複数のプリアンブルからプリアンブルを選択すること、
プリアンブル・チャネル上で前記ポートを経由して、前記選択されたプリアンブルの前記プリアンブル・シグネチャを送信することであって、プリアンブル・シグネチャの送信は、前記ユーザ機器が前記少なくとも１つの対応する通信チャネル上でデータを送信することを意図していることを前記少なくとも１つのさらなるユーザ機器に対して示している、送信すること、
前記少なくとも１つの対応する通信チャネル上で受信される信号を検出すること、および
所定の時間中にプリアンブル応答信号または信号がないことのいずれかを検出することに応じて、前記少なくとも１つの対応する通信チャネル上で前記データを送信すること
により、前記少なくとも１つのさらなるユーザ機器による受信のためにデータをブロードキャストするように構成されている、ユーザ機器（１０）。
【発明の詳細な説明】
【技術分野】
【０００１】
本発明は、ワイヤレス・ネットワークを通して通信するデバイスに対する通信リソースの割り付けに関する。
【背景技術】
【０００２】
ワイヤレス通信信号を使用したデバイス間通信のために、チャネル、すなわち信号が送信される時間−周波数リソースは、可能であれば、信号衝突を回避するように信号を送信するデバイスに割り付けられるべきである。
【０００３】
リソース割り付けの２つの従来の方法、すなわち協調アクセスと非協調アクセスとが存在する：
・協調アクセス
このようなアクセス・スキームにおいては、リソース割り付け制御装置としての役割を果たすクラスタ・ヘッドが存在する。ネットワーク・カバレッジ内の場合、クラスタ・ヘッドは、ｅＮＢまたはディスパッチャのいずれかとすることができる。一方で、カバレッジ外の公衆安全の場合、クラスタ・ヘッドは、ディスパッチャである。
・非協調アクセス
このようなアクセス・スキームは、ＵＥ（ユーザ機器）が、準静的に構成されたリソース・ブロックのプールからリソースをユーザ機器自身に自律的に割り付けることを可能にする。非協調的であるため、割り付けられるリソースは、別のＵＥが同じリソースをＵＥ自身に割り付けることができるので競合状態にある。
【０００４】
協調アクセスは、ネットワークに対するアクセス・ポイントを経由して中心的に管理されるので、合理的に簡単（ｓｔｒａｉｇｈｔｆｏｒｗａｒｄ）であり、チャネルは特定のデバイスに専用のものとすることができ、衝突は回避される可能性がある。
【０００５】
しかしながら、非協調アクセスの場合は、それほど簡単ではない。ネットワーク・カバレッジが使用可能でないことがあり、したがってアクセスの中央管理が困難または不可能であり得るデバイス間通信においては、非協調アクセスは重要になる。こうしたスキームにおいて、衝突を低減させる１つのやり方は、デバイスが潜在的な衝突を検出し、それらの衝突を可能ならば回避することである。
【０００６】
こうしたスキームについての例は、ＣＳＭＡ（キャリア検知多重アクセス（ｃａｒｒｉｅｒ  ｓｅｎｓｅ  ｍｕｌｔｉｐｌｅ  ａｃｃｅｓｓ））、ＣＳＭＡ／ＣＡ（衝突回避（ｃｏｌｌｉｓｉｏｎ  ａｖｏｉｄａｎｃｅ））、およびＣＳＭＡ／ＣＤ（衝突検出（ｃｏｌｌｉｓｉｏｎ  ｄｅｔｅｃｔｉｏｎ））である。ピュアＣＳＭＡは、２人のユーザが同時に送信しようと試みる可能性がかなり高いので、高い衝突と低いスループットをもたらす。ＣＳＭＡ／ＣＡとＣＳＭＡ／ＣＤは、衝突を低減するために使用される。ＣＳＭＡ／ＣＤにおいて、送信ノードは、それが送信しているキャリアをリッスンして、どのような衝突も検出する。送信ノードは、衝突を検出する場合、送信することを停止し、ランダム（指数）バックオフを実行する。ＣＳＭＡ／ＣＡにおいて、送信ノード（すなわち、ＳＴＡ）は、キャリアが使用されないことを検出した後に送信要求（ＲＴＳ：Ｒｅｑｕｅｓｔ−ｔｏ−ｓｅｎｄ）を送信し、受信ノード（すなわち、ＷＬＡＮ  ＡＰ）は、他のノードが同じキャリアを使用しておらず、かつ送信ノードがＣＴＳを受けて送信する場合に、送信可（ＣＴＳ：Ｃｌｅａｒ−ｔｏ−ｓｅｎｄ）信号を用いて送信ノードに対して応答する。この場合、どの時点においても１つのノードのみがキャリアを使用することができる。送信ノードは、ある期間にわたってＣＴＳを受信しない場合、ランダム・バックオフを実行する。送信は、その全体において実行され、受信ノードは、送信を受信した場合に、ＡＣＫを提供する。ＡＣＫが受信されない場合、送信ノードは、衝突を仮定し、別のランダム・バックオフを実行する。
【０００７】
半二重リンクを使用したデバイス間Ｄ２Ｄ通信において、ＵＥは、どの時点においても特定のチャネル上で送信または受信のみをすることができる。それゆえに、ＣＳＭＡ／ＣＤは、衝突処理のために使用される可能性はない。Ｄ２Ｄリンクがブロードキャスト・リンクである（すなわち、多数の有効なユーザは、送信メッセージを受信しようと試みることになる）こともまた、合意されている。このことは、クラスタ・ヘッドがない場合に、どのデバイスがＣＴＳおよびＡＣＫを送信して完全なＣＳＭＡ／ＣＡを実行するべきであるかを決定することが難しいので、従来のＣＳＭＡ／ＣＡを実行することを困難にする。
【０００８】
典型的なブロードキャスト・メカニズムにおいては、送信ＵＥは、それがメッセージをブロードキャストしようとしていること、およびさらにこのメッセージのために使用しようとしている時間−周波数リソースを潜在的な受信ＵＥに対してアナウンスする必要がある。しかしながら、半二重システムにおいてこのアナウンスメントを行うために、送信ＵＥは、それを行うために別の時間−周波数リソースを確保する必要がある。それゆえに、このようなデバイス間通信におけるリソースの割り付け、および衝突の回避または少なくとも低減は、簡単なものではない。
【０００９】
したがって、衝突を低減させる、非協調のデバイス間通信のための通信リソースを割り付けるためのシステムを提供することが望ましい。
【００１０】
Ａｌｃａｔｅｌ−Ｌｕｃｅｎｔ  Ｓｈａｎｇｈａｉ  Ｂｅｌｌ他、「Ｄ２Ｄ  Ｄｉｓｃｏｖｅｒｙ  Ｄｅｓｉｇｎ  ｆｏｒ  Ｇｒｏｕｐｃａｓｔ，  Ｂｒｏａｄｃａｓｔ  ａｎｄ  Ｒｅｌａｙ」、３ＧＰＰ  ｄｒａｆｔ；Ｒ１−１３２９９５−Ｄ２Ｄ、ｖｏｌ．ＲＡＮ  ＷＧ１、ｎｏ．Ｂａｒｃｅｌｏｎａ、Ｓｐａｉｎ  １０／０８／２０１３、１〜５頁は、２ステージの発見シグネチャ設計を含む様々なＤ２Ｄ方法を開示している。２ステージの発見シグネチャ設計は、簡単な検出と同期化のために設計されたシグネチャを含む発見信号と、それに続く、ＵＥ識別のための情報を含む発見パケットが送信される発見チャネルとを使用する。発見チャネルのために割り付けられるリソースは、発見シグネチャを通して暗示的に導き出され、またはシステム情報の形でブロードキャストされる可能性がある。発見シグネチャと関連する無線リソースは、ＵＥに記憶され、各デバイスは、シグネチャを求めてリッスンする。１つ以上のシグネチャが検出される場合、検出されたシグネチャのタイミングは、ＵＥ自身のシグネチャの送信のために使用されるのに対し、シグネチャが近くで検出されない場合、デバイスは、任意の時間にまたはグローバル基準時間に基づいてそのシグネチャを送信する。
【先行技術文献】
【非特許文献】
【００１１】
【非特許文献１】Ａｌｃａｔｅｌ−Ｌｕｃｅｎｔ  Ｓｈａｎｇｈａｉ  Ｂｅｌｌ他、「Ｄ２Ｄ  Ｄｉｓｃｏｖｅｒｙ  Ｄｅｓｉｇｎ  ｆｏｒ  Ｇｒｏｕｐｃａｓｔ，  Ｂｒｏａｄｃａｓｔ  ａｎｄ  Ｒｅｌａｙ」、３ＧＰＰ  ｄｒａｆｔ；Ｒ１−１３２９９５−Ｄ２Ｄ、ｖｏｌ．ＲＡＮ  ＷＧ１、ｎｏ．Ｂａｒｃｅｌｏｎａ、Ｓｐａｉｎ  １０／０８／２０１３、１〜５頁
【発明の概要】
【課題を解決するための手段】
【００１２】
第１の態様によれば、少なくとも１つのさらなるユーザ機器による受信のために、１つのユーザ機器からデータをブロードキャストする方法であって、複数のプリアンブルからプリアンブルを選択するステップであって、前記複数のプリアンブルは、それぞれ送信リソースの対応するブロックを識別し、送信リソースの前記ブロックは、少なくとも１つの対応する通信チャネルを備える、選択するステップと、プリアンブル・チャネル上で前記選択されたプリアンブルのプリアンブル・シグネチャを送信するステップであって、前記プリアンブル・シグネチャの送信は、前記ユーザ機器が前記プリアンブル・シグネチャによって示される前記少なくとも１つの対応する通信チャネル上でデータを送信することを意図していることを前記少なくとも１つのさらなるユーザ機器に対して示し、前記チャネルのそれぞれは、一度に１方向にデータを送信するように構成された半二重チャネルを備える、送信するステップと、前記少なくとも１つの対応する通信チャネルを経由して受信される信号を監視するステップと、前記少なくとも１つの対応する通信チャネル上で、プリアンブル応答信号または所定の時間中に信号がないことのうちの一方を検出することに応じて、前記少なくとも１つの対応する通信チャネル上で前記データを送信するステップとを含む方法が、提供されている。
【００１３】
本発明は、１つのユーザ機器から別のユーザ機器へとデータをブロードキャストするときに、ことによるとネットワーク・カバレッジが存在しないために、協調制御が存在していない場合、何らかの方法で管理されない限り、衝突の確率が非常に高い可能性があることを認識している。本発明は、通信チャネルに関連するプリアンブルを有するブロックにおいて、送信リソースを提供すること、およびプリアンブルを使用して、ユーザ機器が対応する通信チャネルを使用することを意図していることを示すことにより、これに対処している。このチャネル関連付けを有することにより、データがユーザ機器によってそのチャネル上でどの時点においても送信または受信されるかのいずれかであるような、１方向のみにデータを送信するためにチャネルが使用されるシステムは、関連する通信チャネルが使用するために必要とされることを示すプリアンブル・シグネチャをプリアンブル・チャネル上で送信することにより、エリアにおける他のデバイスに対して示すことができる。ユーザ機器は、プリアンブル・チャネル上で信号を送信するときに、同時にこのチャネル上で信号をリッスンすることができないが、ユーザ機器は、関連する通信チャネルをリッスンし、そのチャネルが使用のために使用可能であるという可能性を示している情報を、それから決定することができる。そこでは、通信チャネルの監視が、プリアンブルによって示されるこのリソース・ブロックが使用のために使用可能である可能性が高いことをユーザ機器に対して示し、その場合、データは、対応する通信チャネル上で送信される可能性がある。いくつかの場合、この情報は、プリアンブル応答信号または所定の時間にわたっての信号がないことである可能性がある。
【００１４】
いくつかの実施形態においては、前記チャネルのうちのそれぞれは、時間周波数リソースを含んでいる。
【００１５】
各プリアンブルによって表される送信リソースのブロックは、少なくとも１つの対応する通信チャネルで構成されている。これらのチャネルは、周波数送信バンドと、これが使用され得る期間との形態とすることができる。
【００１６】
いくつかの実施形態においては、前記データを送信する前記ステップは、前記プリアンブル応答信号のうちの１つを検出することに応じて実行される。
【００１７】
一実施形態においては、プリアンブル応答信号の検出は、選択したプリアンブルによって示される送信リソース・ブロックが、使用のために使用可能である可能性が高く、その場合にユーザ機器が次のタイム・スロットにおいてデータを送信することになる、ユーザ機器によって必要とされる表示とすることができる。
【００１８】
代替的な一実施形態においては、前記データを送信する前記ステップは、所定の時間中に、信号を検出しないことに応じて実行される。
【００１９】
いくつかの場合には、それらのデバイスは、プリアンブル・シグネチャに応答するように構成されていなくてもよく、こうした場合、デバイスは、代わりに、ある期間中において通信チャネルが現在使用されていないことを検出することができる。
【００２０】
いくつかの実施形態においては、前記方法は、複数の値のうちの１つに前記所定の時間を設定するステップをさらに含んでおり、前記複数の値は、望ましいサービス品質に依存する。
【００２１】
１つまたは複数の通信チャネルが監視される所定の時間は、いくつかの異なる値から選択される可能性があり、また望ましいサービス品質に依存することができる。これに関して、特定のサービス品質についての単一の値が存在していないこともあり、むしろ、ある種のサービス品質が望ましい場合、値の範囲が提供される可能性があり、デバイスは、このプールの値からランダムにまたは準ランダムに選択する。このようにして、デバイスは、一般に正確に同じ所定の時間を選択することにはならず、このことは、デバイスが両方とも同じプリアンブル・チャネル上でプリアンブルを送信する間、両方が同じ期間中に同じ通信チャネルを監視するそれらの確率を低減させる。異なる期間に起因した何らかのオーバーラップは、デバイスのうちの１つが、他のデバイスがデータを送信し始めることを検出することを可能にし、その１つのデバイスにそれ自身のデータを送信しないようにさせ、それによって衝突を回避している。
【００２２】
いくつかの実施形態においては、前記通信チャネル上で信号を検出することに応じて、バックオフ時間にわたって、前記プリアンブル・チャネル上で前記プリアンブル・シグネチャを送信することを中止し、また前記バックオフ時間に続いて、前記プリアンブル・チャネル上で再び前記プリアンブル・シグネチャを送信し、また前記少なくとも１つの通信チャネル上で信号を監視する。
【００２３】
信号が通信チャネル上で検出される場合には、ユーザ機器は、選択されたプリアンブルの送信リソース・ブロックが、現在使用されていることを理解する。この場合、ユーザ機器は、バックオフ時間にわたってこのチャネル上でプリアンブル信号を送信することを中止し、次いで再び試みることができる。代替的な一実施形態において、ユーザ機器は、異なるプリアンブルを単に選択することができる。バックオフ時間は、設定された時間とすることができ、または、ランダムにまたは準ランダムに選択される可能性があることに注意すべきである。
【００２４】
いくつかの実施形態においては、前記データを送信する前記ステップは、前記応答信号を検出することに応じて実行され、次の所定の通信タイム・スロットにおいて前記データを送信する。
【００２５】
いくつかの実施形態においては、前記方法は、所定の検出時間内に前記応答信号を検出しないことに応じて、バックオフ時間にわたって前記プリアンブル・シグネチャを送信しないステップと、前記バックオフ時間に続いて、前記プリアンブル・チャネル上で再び前記プリアンブル・シグネチャを再送信するステップと、前記少なくとも１つの通信チャネル上で信号を監視するステップとを含む。
【００２６】
通信チャネルが所定の時間にわたって監視され、信号が検出される場合の実施形態と同様に、通信チャネルは、プリアンブル応答信号について監視され、応答信号が検出されない場合、再び、ユーザ機器は、バックオフし、その後に再びプリアンブルを送信する。
【００２７】
いくつかの実施形態においては、前記方法は、前記データが前記少なくとも１つの通信チャネルを経由して送信される間に、前記プリアンブル・チャネルを経由して前記プリアンブル・シグネチャを送信し続けるステップと、前記データの送信に続いて、前記対応する通信チャネルを解放するために前記プリアンブルを送信することを停止するステップとを含む。
【００２８】
ユーザ機器は、データを送信する間に、プリアンブル・シグネチャを送信し続けることができ、このことは、この送信リソース・ブロックが、現在使用されていること、およびそれを他のユーザ機器がそれら自身で使用するべきではないことを他のユーザ機器に対して示している。ユーザ機器は、プリアンブルを送信することを停止することにより、それらのチャネルを解放する。
【００２９】
いくつかの実施形態においては、前記プリアンブルを選択する前記ステップは、前記複数のプリアンブルのうちの少なくともいくつかに関連して記憶される衝突確率、前記対応するプリアンブル・チャネルの使用可能性、実行されるべきアプリケーション、または前記ユーザ機器の識別情報のうちの１つに基づいて、前記複数のプリアンブルのうちの１つを選択するステップを含んでいる。
【００３０】
プリアンブルの選択は、いくつかの物事に基づいて、行われることもある。選択は、使用可能なプリアンブル・チャネルのプールからランダムに行われることもあり、その送信リソース・ブロックが使用可能であるという可能性を示しているプリアンブルに関連する衝突確率に基づいて行われることもある。代わりに、プリアンブルは、実行される特定のアプリケーションに特有のものとすることができ、この場合、プリアンブルは、このようにして選択されることもあり、またはユーザ機器は、その識別情報に関連する特定のプリアンブルを有することができ、それゆえに、このようなプリアンブルが選択されることもある。
【００３１】
いくつかの実施形態においては、前記方法は、前記プリアンブル・チャネルのうちの少なくとも１つを監視するステップと、前記複数のプリアンブルのうちの前記１つを選択するステップに先立って、現在使用されている前記プリアンブル・チャネルを使用不可能であるとしてマーク付けするステップとを含み、前記選択するステップは、現在、使用不可能としてマーク付けされていない前記複数のプリアンブルから前記プリアンブルを選択するステップを含んでいる。
【００３２】
ユーザ機器は、プリアンブル・チャネルを監視して、それらが現在使用可能であるかどうかを決定することができ、ユーザ機器は、送信リソース・ブロックを選択するときに、現在使用されている送信リソース・ブロックを選択することがないように、現在使用されているものを使用不可能としてマーク付けすることができる。そのエリアの中の他のユーザ機器が同じ方法で構成されている場合、プリアンブル・チャネル上のプリアンブル・シグネチャの送信は、プリアンブル・シグネチャによって示されるその送信リソース・ブロックが現在使用されており、プリアンブル・シグネチャを検出している他のユーザ機器がそれを使用することを回避することをそのエリアの中のユーザ機器に対して示すことになる。
【００３３】
いくつかの実施形態においては、前記方法は、前記プリアンブル・チャネルのうちの少なくとも１つを監視するステップと、前記ユーザ機器の興味があるデータの送信を示すプリアンブル・シグネチャを検出することに応じて、前記対応する通信チャネルを監視するステップとをさらに含む。
【００３４】
ローカル・ユーザ機器に対してデータをブロードキャストすることに加えて、ユーザ機器はまた、そのエリアにおける他のユーザ機器によってブロードキャストされるデータを受信するように構成されていることもある。それゆえに、どれが使用可能であるかを決定するためにプリアンブル・チャネルを監視することと同様に、ユーザ機器はまた、それが興味を持つデータが、対応する通信チャネル上で送信されることを示す、現在送信されているプリアンブル・シグネチャが存在しているかを決定する。ユーザ機器がそのようなプリアンブルを検出する場合、ユーザ機器は、データを受信するために対応する通信チャネルを監視する。
【００３５】
いくつかの場合には、対応する通信チャネルを監視することに先立って、ユーザ機器は、プリアンブル・シグネチャに応答し、そのユーザ機器がプリアンブル・シグネチャを受信し、それゆえに送信リソース・ブロックがおそらく別のデバイスによって使用されていないこと、およびそのユーザ機器がデータを受信することに興味があることをそのプリアンブル・シグネチャを送信したユーザ機器に対して示す。複数のユーザ機器は、同じ対応する通信チャネルを使用してプリアンブル・シグネチャに応答する可能性があり、これらの複数の応答が衝突することになることに注意すべきである。プリアンブル・シグネチャを送信するユーザ機器が、少なくとも１つの他の受信デバイスが応答することを検出することのみが必要であり、このことは、応答が衝突するときであっても可能である。
【００３６】
本発明の第２の態様は、コンピュータによって実行されるときに、本発明の第１の態様による方法のステップを実行するように前記コンピュータを制御するコンピュータ・プログラムを記憶するコンピュータ・プログラム製品を提供している。
【００３７】
本発明の第３の態様は、少なくとも１つのさらなるユーザ機器とワイヤレスに通信するように構成されたユーザ機器を提供しており、前記ユーザ機器は、複数のプリアンブルと、対応する送信リソース・ブロックとの詳細を記憶するためのプリアンブル・ストアと、前記複数の記憶されたプリアンブルからプリアンブルを選択するためのプリアンブル選択ロジックであって、前記複数のプリアンブルは、それぞれ、送信リソースの対応するブロックに関連しており、送信リソースの前記ブロックは、少なくとも１つの対応する通信チャネルを備える、プリアンブル選択ロジックと、複数のチャネルのうちの１つの上で信号を受信し、また信号を出力するためのポートであって、各チャネルについて信号が受信または送信可能であるように半二重ポートである、ポートとを備え、前記ユーザ機器は、前記プリアンブル選択ロジックを使用して、前記複数のプリアンブルからプリアンブルを選択すること、プリアンブル・チャネル上で前記ポートを経由して、前記選択されたプリアンブルの前記プリアンブル・シグネチャを送信することであって、プリアンブル・シグネチャの送信は、前記ユーザ機器が前記少なくとも１つの対応する通信チャネル上でデータを送信することを意図していることを前記少なくとも１つのさらなるユーザ機器に対して示している、送信すること、前記少なくとも１つの対応する通信チャネル上で受信される信号を検出すること、およびプリアンブル応答信号、または所定の時間中に信号がないことのいずれかを検出することに応じて、前記少なくとも１つの対応する通信チャネル上で前記データを送信することにより、前記少なくとも１つのさらなるユーザ機器による受信のためにデータをブロードキャストするように構成されている。
【００３８】
次に、添付の図面を参照して、本発明の実施形態をさらに説明する。
【図面の簡単な説明】
【００３９】
【図１】互いに通信するユーザ機器を概略的に示す図である。
【図２】本発明の一実施形態によるユーザ機器から送信され、またユーザ機器によって受信される信号を示す図である。
【図３ａ】本発明のさらなる一実施形態によるユーザ機器から送信され、またユーザ機器によって受信される信号を示す図である。
【図３ｂ】本発明のさらなる一実施形態によるユーザ機器から送信され、またユーザ機器によって受信される信号を示す図である。
【図４】一実施形態による方法のステップを例証する流れ図を示す図である。
【図５】さらなる一実施形態による方法のステップを例証する流れ図を示す図である。
【発明を実施するための形態】
【００４０】
概説
実施形態をより詳細に説明する前に、まず、概説を提供する。
【００４１】
本技法についての実施形態は、衝突が起こる確率を低減させる方法で、協調制御またはネットワーク・カバレッジさえも必要なしに、ユーザ機器が互いに直接に通信する能力を提供する。これは、プリアンブル・メッセージを送信するために使用されるプリアンブル・チャネルと、データを送信するためにプリアンブル・チャネルに関連して使用される少なくとも１つの対応する通信チャネルとを識別するプリアンブルの使用によって行われる。こうしたユーザ機器において、データの送受信は、どの時点においてもデータがチャネル上で送信されるか、またはそのチャネル上で受信されるかのいずれかとすることができる半二重の方法で行われる可能性がある。これは、情報を送信することと、そのチャネル上で現在送信されている他の情報が存在しているかどうかを決定することの両方を困難にしている。プリアンブル・チャネルと、関連する通信チャネルとを有する送信リソース・ブロックを提供することにより、この問題に対処することができる。
【００４２】
エリアにおいて他のユーザ機器に対してメッセージをブロードキャストすることを望んでいる各ユーザ機器は、選択されたプリアンブル・チャネル上でプリアンブルを送信することができ、このことは、データが少なくとも１つの対応する通信チャネル上で送信されようとしていること、および現在のユーザ機器が、プリアンブル・チャネルと通信チャネルのこのリソース・ブロックを使用することを望み、それゆえに、他のユーザ機器は、現在の時間のためにそれを使用することを回避すべきであることを、他のユーザ機器に対して示すことになる。
【００４３】
プリアンブル・チャネル上でプリアンブルを検出し、通信チャネル上で送信されるメッセージに興味があることを認識しているユーザ機器は、次いで、ユーザ機器がそのメッセージを受信することができるように、通信チャネルを監視する。
【００４４】
可能性のある衝突の数を低減させるために、送信機器は、プリアンブル・チャネル上でプリアンブルを送信し、対応する通信チャネルを監視する。上述のように、これらのチャネルは、何れかの１つのチャネル上でどの時点においてもユーザ機器によって送信または受信のみが行われる半二重チャネルであるので、プリアンブル・チャネル上で送信し、かつプリアンブル・チャネルを監視することが同時にできない。ユーザ機器は、それゆえに、対応する通信チャネルを監視することになり、所定の時間中にユーザ機器がこのチャネル上で信号を検出しない場合、または別のユーザ機器がプリアンブルを受信し、データを受信することを望むことを示す、別のユーザ機器からの少なくとも１つの応答をユーザ機器が検出する場合、ユーザ機器は、対応する通信チャネル上でデータを送信する。
【００４５】
ユーザ機器が、所定の時間にわたって通信チャネル上で信号についてリッスンしない場合、所定の時間は、必要とされるサービス品質に従って設定されてもよい。明らかに、より長い時間は、衝突の低減された確率を提供することになる。より長い時間がより高いサービス品質のために選択されることもあるが、このより長い時間は、異なるユーザ機器が正確に同じ時間にわたってリッスンしないように、いくつかの値のうちの１つとすることができる点で、時間は少なくとも準ランダムな方法で設定される。
【００４６】
各ユーザ機器は、プリアンブルの組と、それらの対応するリソース・ブロックとを記憶する。これらのリソース・ブロックは、通信チャネルを識別する。これらのチャネルは、時間周波数リソースとすることができる。チャネル情報と一緒に、プリアンブルは、チャネルが現在使用可能であるか否かを示している情報を記憶することもできる。これに関して、ユーザ機器は、プリアンブル・チャネルを監視し、プリアンブル・チャネルが現在使用中であることを検出するときに、そのチャネルを使用不可能としてマーク付けし、これによりユーザ機器がそれを選択する確率を低減させる。さらに、いくつかの場合には、ネットワークと連絡を取っているときに、ユーザ機器は、チャネルの使用についてのアップデートを受信し、ユーザ機器がある時間に送信すべきであるか否かについての確率を設定する。この確率は、プリアンブル・チャネルが使用中である可能性を示すことになり、それゆえに、いつ送信すべきかについてのガイドとして確率を使用することは、別のデバイスと同時にプリアンブル・チャネル上で送信する確率を低減させることになる。
【００４７】
図１は、ワイヤレスに互いに通信する２つのユーザ機器デバイス１０および１２を概略的に示す。各デバイスは、タイマー２０と、データ・ストア３０と、任意の特定の時間に特定のチャネル上で受信または送信するかのいずれかを行うことができる半二重ポートであるポート４２を経由してワイヤレスに通信する通信回路４０とを備える。通信回路と、特に通信回路がその上で現在送信または受信しているチャネルとを制御する制御回路５０もまた、存在している。
【００４８】
データ・ストア３０の内部には、リソース・ブロックを識別するためのシグネチャとしての役割を果たすプリアンブルの組が記憶されている。各プリアンブルに沿って、それが対応しているリソースの詳細と、そのプリアンブルが現在使用不可能であることを知られているか否かについての表示と、いくつかの場合には、そのプリアンブルが現在使用中であることがどのくらいあるかについての確率とがある。
【００４９】
デバイス間通信を実行するためのユーザからの要求を受信すると、制御回路５０は、プリアンブル・ストアにおける使用可能としてマーク付けされたプリアンブルからプリアンブルを選択し、そのプリアンブルに対応するチャネルに沿ってプリアンブル・シグネチャの形式におけるプリアンブルを送信する。このプリアンブル・シグネチャは、対応する１つまたは複数の通信チャネル、通信されるデータのタイプを示し、プリアンブル・シグネチャはまた、それに関連するいくつかの同期化情報を有していてもよい。ユーザ機器は、プリアンブルに対応する１つまたは複数の通信チャネルを監視して、何れかの信号がそのチャネル上で受信されたかを決定する。
【００５０】
一実施形態においては、ユーザ機器は、タイマー２０によって測定される所定の時間にわたって通信チャネルを監視し、信号がこの時間中に受信されない場合、ユーザ機器は、次いで、対応する通信チャネル上でデータを送信する。対応する通信チャネルに関する情報および同期化情報と同様に、プリアンブルはまた、通信チャネル上で送信されるメッセージについての何らかの表示を提供することに注意すべきである。
【００５１】
このように、ユーザ機器１０（例えば、ユーザ機器１２）の範囲内にある何れかのユーザ機器は、プリアンブル・チャネルを監視している可能性があり、デバイスが興味を持つメッセージが存在していることを示すプリアンブルを検出すると、ユーザ機器は、プリアンブル・チャネル上で送信されているプリアンブルによって示される通信チャネルを監視し、データを受信することができる。ユーザ機器が、送信されている特定のデータに興味がない場合、ユーザ機器は、そのデータのために通信チャネルを監視しないが、ユーザ機器は、プリアンブルおよび対応する通信チャネルを現在使用不可能としてマーク付けし、それらを使用しない。
【００５２】
ユーザ機器１０がデータを送信する全体の時間にわたって、ユーザ機器は、プリアンブル・チャネルを検出する何れかのユーザ機器が、対応する通信チャネルが現在使用中であることを理解することになるように、プリアンブル・チャネル上でプリアンブルを送信することに注意すべきである。
【００５３】
別の実施形態においては、ユーザ機器１０がデータを送信することに先立って、所定の時間にわたって通信チャネルを監視するのではなく、ユーザ機器は、その代わりに応答信号を求めて通信チャネルを監視する。いくつかの実施形態においては、この応答信号は、デバイスが、ユーザ機器がその特定のプリアンブルに応答していることを認識するように、送信されたプリアンブル・シグネチャの形式を取る。データを受信することを望む、エリアの中の異なるユーザ機器から送信される多数の応答が存在し得ることに注意すべきである。ひとたび応答信号が受信された後に、ユーザ機器は、次のタイム・スロットにおいて、この通信チャネルに沿ってデータを送信する。これに関して、プリアンブル内に提供された同期化情報は、ユーザ機器がこのデータを受信することができるように、いつタイム・スロットが開始されるかについての何らかの表示を受信ユーザ機器に対して与える。
【００５４】
図２は、エリアにおいてユーザ機器１０から何れかの他のユーザ機器へと送信される信号の一例を示す。このように、通信チャネルが監視されながら、プリアンブル・シグネチャは、プリアンブル・チャネル上で連続して送信される。この場合、肯定応答信号が通信チャネル上で受信され、その肯定応答に続いて、ユーザ機器１０はデータを送信する。
【００５５】
図３Ａは、ユーザ機器１０がプリアンブルをプリアンブル・チャネル上で連続して送信する場合の代替的な一実施形態を示す。このプリアンブルは、対応する１つまたは複数の通信チャネルの使用をユーザ機器が望むこと、それゆえに他のユーザ機器がそれらを使用することを回避すべきであることを示しており、またこのメッセージに興味のある他のユーザ機器が、対応する１つまたは複数の通信チャネルに同調できるように、ユーザ機器が送信するメッセージのタイプも示している。この場合、送信ユーザ機器１０は、所定の時間、時間０にわたって、通信チャネルを監視し、この時間中に信号が受信されない場合、ユーザ機器は、エリアにおける何れかのユーザ機器に対してデータを送信する。
【００５６】
図３Ｂは、ユーザ機器がプリアンブルを送信しており、時間、時間０中に、通信チャネル上でデータを検出する場合の代替的な一実施形態を示す。この場合、ユーザ機器は、バックオフ、すなわち、ある時間長にわたってプリアンブルを送信することを停止し、この時間に続いて、再びプリアンブルを送信し、通信チャネルを監視する。ユーザ機器が、ある期間中、このケースでは時間１に、通信チャネル上に信号が存在していないことを決定する場合、ユーザ機器は、次いで、データを送信する。所定の時間、時間１は、長さが時間０に類似しているが、準ランダムな方法で少しだけ異なるように選択され、同じチャネルの使用を望む２つのユーザ機器が共に同じ時間にわたってリッスンし、次いで両方が一緒にデータを送信しようと試みる確率を増大させることになる同じ時間長にわたって、ユーザ機器が常に通信チャネルを見ることを回避する。
【００５７】
図４は、別のローカル・デバイスに対してメッセージをブロードキャストすることを望むときに、ユーザ機器１０によって実行されるステップを示す。
【００５８】
ステップ１：ＵＥは、送信のためのプリアンブルを選択する。ＵＥは、使用可能なプリアンブルのプールからランダムにプリアンブルを選択することができ、またはＵＥは、確率情報が、それらのプリアンブルに関連して記憶され、いくつかの場合にはユーザ機器がネットワーク・カバレッジを有するときにアップデートされている場合、確率情報に基づいてプリアンブルを選択することができ、あるいはユーザ機器は、予め割り当てられたプリアンブルを取得することができる。予め割り当てられたプリアンブルは、送信されるデータまたはメッセージのタイプに予め割り当てられていることもあり、またはユーザ機器自身に予め割り当てられていることもある。プリアンブルのそれぞれは、ブロードキャスト・メッセージを送信するための送信時間−周波数リソースに対してマッピングされる。このマッピング情報は、予め構成されている可能性があり、またはプリアンブルから算出される可能性がある。プリアンブルがランダムに選択される場合、送信ＵＥは、使用されていないプリアンブルのプールから選択するだけになる（使用されるプリアンブルと使用されないプリアンブルの検出に関しては、図５の中の受信プロトコルを参照）。
【００５９】
ステップ２：プリアンブルは、プリアンブル送信のために時間−周波数リソース上で送信される。プリアンブルが確率に基づいて選択された場合、ユーザ機器は、衝突確率を低減させるために、それに関連する必要な確率を有するプリアンブルを次のスロットにおいて送信する。
【００６０】
次のステップは、２つの方法のうちの一方で実行される可能性がある。
【００６１】
代替形態１：すなわち、ステップ２−１：ランダム・タイマーが、プリアンブルによってマッピングされる時間−周波数リソースを監視するために開始される。このランダム・タイマーは、送信されるメッセージのＱｏＳに従って設定される可能性がある。すなわち、値は、ランダムに、またはＱｏＳによって決定される値の範囲から準ランダムに選択される。
【００６２】
ステップ２−２：ひとたび送信ＵＥがプリアンブルを送信すると、送信ＵＥは、最初に、ブロードキャスト・メッセージが送信される時間−周波数リソースを監視する。プリアンブルは、ＣＳＭＡにおけるＲＴＳ（送信要求）に類似する。プリアンブルによってマッピングされる時間−周波数リソースが、ランダム・タイマーの実行中に沈黙している（すなわち、送信されるどのようなメッセージの検出もない）場合、それは、送信ＵＥが時間−周波数リソースにおいて送信可であることを意味している（ちょうどＣＳＭＡにおけるＣＴＳのように）。送信ＵＥは、監視時間中にプリアンブルを送信し続けるであろう。
【００６３】
ステップ２−３：ＵＥが、プリアンブルによってマッピングされる時間周波数リソースがランダム時間における瞬間の１つの間にビジー状態であることを検出する場合、送信ＵＥはランダム時間の期間にわたってバックオフし、バックオフの後に再び、再送信しようと試みる。
【００６４】
代替形態２：すなわち、ステップ２−２：送信ＵＥは、送信されたプリアンブルによってマッピングされる時間−周波数リソースにおける何れかのプリアンブル信号を監視する。
【００６５】
ステップ２−２：ＵＥが、送信されたプリアンブル（これは、ＣＳＭＡにおけるＡＣＫまたはＣＴＳのようなものである）によってマッピングされる時間−周波数リソースにおいてプリアンブル信号（異なる受信するＵＥからの信号の蓄積／ソフト結合を含む）を検出する場合、送信ＵＥは、次のタイム・スロットにおいてブロードキャスト・メッセージを送信できると仮定する。送信ＵＥは、プリアンブルがマッピングされる時間−周波数リソースを使用していることを他のＵＥに対して示すブロードキャスト・メッセージを送信しているときに、プリアンブルを送信し続けるであろう。送信ＵＥは、ひとたびリソースを解放することを欲すると、プリアンブルを送信することを停止するだけである。
【００６６】
ステップ２−３：ＵＥが、送信されたプリアンブル（これは、ＮＡＣＫのようなものであり、ＣＴＳのようなものではない）によってマッピングされる時間−周波数リソースにおいてどのようなプリアンブル信号も検出しない場合、送信ＵＥは、プリアンブル送信上に衝突が存在していると仮定し、ランダム・バックオフを実行し、バックオフの後にもう一度再送信することを試みるであろう。
【００６７】
両方の代替形態では、次いで、ステップ３が、実行され、すなわち、送信ＵＥは、プリアンブルによってマッピングされる時間周波数リソースの中で、ブロードキャスト・メッセージを送信する。ＵＥが時間−周波数リソースを使用することを欲する限り、ＵＥは、プリアンブル送信の時間−周波数リソースの中で、プリアンブルを送信し続ける。
【００６８】
図５は、受信プロトコルを示し、以下のステップを含む。
【００６９】
ステップ１：受信ＵＥは、アナウンスメントまたはプリアンブルのために時間−周波数リソースを常に監視する。
【００７０】
ステップ２：ＵＥがプリアンブルを検出する場合、ＵＥは、プリアンブル停止が使用されるまで、ブロードキャスト・メッセージを送信するために、プリアンブルとプリアンブルによってマッピングされる時間−周波数リソースとを使用することを回避する。
【００７１】
代替形態１：
ステップ３：ＵＥが検出されたプリアンブルに興味を持つ場合、ＵＥは、プリアンブルによってマッピングされる時間−周波数リソースに対してリッスンすることを開始し、プリアンブルがもはや検出されなくなるまで、ブロードキャスト・メッセージを受信する場合にブロードキャスト・メッセージを復号する。
【００７２】
代替形態２：
ステップ３：ＵＥが検出されたプリアンブルに興味を持つ場合、ＵＥは、興味のあるプリアンブルによってマッピングされる時間−周波数リソースの中で、プリアンブルをエコーする。これは、次のタイム・スロットにおいてブロードキャスト・メッセージを送信するようにＵＥにさせるＡＣＫ／ＣＴＳを送信ＵＥに対して提供することになる。
【００７３】
当業者なら、様々な上記に説明された方法のステップが、プログラムされたコンピュータによって実行され得ることを簡単に認識するであろう。本明細書においては、いくつかの実施形態はまた、プログラム・ストレージ・デバイス、例えば、デジタル・データ・ストレージ媒体を対象として含むことも意図しており、このプログラム・ストレージ・デバイスは、マシン読み取り可能、またはコンピュータ読み取り可能であり、また命令のマシン実行可能なプログラム、またはコンピュータ実行可能なプログラムを符号化しており、そこでは前記命令は、前記上記で説明された方法のステップの一部または全部を実行する。プログラム・ストレージ・デバイスは、例えば、デジタル・メモリ、磁気ディスクや磁気テープなどの磁気ストレージ媒体、ハード・ドライブ、または光学的に読み取り可能なデジタル・データ・ストレージ媒体とすることができる。それらの実施形態はまた、上記で説明された方法の前記ステップを実行するようにプログラムされるコンピュータを対象として含むことも意図している。
【００７４】
「プロセッサ」または「ロジック」としてラベル付けされた任意の機能ブロックを含めて、図面の中に示される様々な要素についての機能は、専用のハードウェア、ならびに適切なソフトウェアに関連してソフトウェアを実行することができるハードウェアの使用を通して提供されてもよい。プロセッサによって提供されるときに、それらの機能は、単一の専用のプロセッサによって、単一の共用のプロセッサによって、またはそれらのうちのいくつかが共用され得る複数の個別のプロセッサによって提供されてもよい。さらに、「プロセッサ」または「制御装置」、あるいは「ロジック」という用語の明示的な使用は、ソフトウェアを実行することができるハードウェアだけを排他的に意味するように解釈されるべきではなく、また限定することなく、デジタル信号プロセッサ（ＤＳＰ：ｄｉｇｉｔａｌ  ｓｉｇｎａｌ  ｐｒｏｃｅｓｓｏｒ）のハードウェアと、ネットワーク・プロセッサと、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）と、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）と、ソフトウェアを記憶するためのリード・オンリー・メモリ（ＲＯＭ：ｒｅａｄ  ｏｎｌｙ  ｍｅｍｏｒｙ）と、ランダム・アクセス・メモリ（ＲＡＭ：ｒａｎｄｏｍ  ａｃｃｅｓｓ  ｍｅｍｏｒｙ）と、不揮発性ストレージとを暗黙のうちに含むことができる。他のハードウェアが、従来のものおよび／またはカスタムのものもまた、含められる可能性がある。同様に、図面の中に示される任意のスイッチは、概念的なものにすぎない。それらの機能は、プログラム・ロジックのオペレーションを通して、専用のロジックを通して、プログラム制御と専用のロジックとの相互作用を通して、または手動によってさえも、実行される可能性があり、特定の技法は、文脈からもっと具体的に理解されるように、実装者によって選択可能である。
【００７５】
本明細書における任意のブロック図は、本発明の原理を実施する実例となる回路の概念図を表すことが、当業者によって理解されるべきである。同様に、任意のフロー・チャートと、流れ図と、状態遷移図と、擬似コードなどとは、コンピュータ読み取り可能媒体の形で実質的に表され、またそのようにしてコンピュータまたはプロセッサによって、こうしたコンピュータまたはプロセッサが明示的に示されているか否かにかかわらず、実行され得る様々なプロセスを表すことが、理解されるであろう。
【００７６】
説明および図面は、単に本発明の原理を示しているにすぎない。したがって、当業者なら、本明細書において明示的に説明されても、または示されてもいないけれど、本発明の原理を実施し、また本発明の精神および範囲の内部に含まれる様々な構成を考案することができるようになることが理解されるであろう。さらに、本明細書において列挙されるすべての例は、主として、本発明者が当技術を推進することに寄与している本発明の原理および概念を理解するに際して、読者を支援する教育上の目的のためにすぎないように明示的に意図され、またこうした具体的に列挙された例および状態だけに限定することのないように解釈されるべきである。さらに、本発明の原理、態様および実施形態を列挙している本明細書におけるすべての記述、ならびにその特定の例は、その同等物を包含することを意図している。
【図１】
2016535501.tif 000003
【図２】
2016535501.tif 000004
【図３ａ】
2016535501.tif 000005
【図３ｂ】
2016535501.tif 000006
【図４】
2016535501.tif 000007
【図５】
2016535501.tif 000008
【国際調査報告】
2016535501.tif 000009
2016535501.tif 000010
2016535501.tif 000011
2016535501.tif 000012